(57)【要約】【課題】カソード電極体の断面形状を工夫することにより、チップ流動性の阻害、混合率の低下を抑制し、めっき膜厚の均一性を確保し、外観不良の低減を図る。【解決手段】バレル筒体４０内にカソードとなる電極体５１の主要部を配置するとともに、バレル筒体４０を回転自在に有するバレルユニットを用い、バレル筒体内にチップ部品群１０を収納し、バレル筒体４０を回転させて電極体５１に対してチップ部品群を移動させてバレルめっきを行う。電極体５１はバレル筒体の回転中心軸に平行な水平部分５２と垂直部分５３とを有し、垂直部分５３の横断面は前記水平部分５２の横断面よりも小さく設定されており、水平部分５２の横断面は、チップ部品群の移動方向に直交する方向の厚みが当該移動方向の幅以下であり、かつチップ部品群の流れに対向する先端部に丸みが形成されている。【選択図】        図１
2005042140.tif 000002
【特許請求の範囲】
【請求項１】
非導電性のバレル筒体内に、当該バレル筒体の横向きの回転中心軸に平行でかつ当該回転中心軸に対し偏心した位置にカソードとなる電極体の主要部を配置するとともに、前記バレル筒体を回転自在に有するバレルユニットを用い、前記バレル筒体内にチップ部品群を収納し、前記バレル筒体を回転させて前記電極体に対してチップ部品群を移動させるバレルめっき方法であって、前記電極体は前記回転中心軸に平行な部分と垂直な部分とを有し、前記垂直な部分の横断面は前記平行な部分の横断面よりも小さく設定されており、前記電極体の前記回転中心軸に平行な部分の横断面は、チップ部品群の移動方向に直交する方向の厚みが当該移動方向の幅以下であり、かつチップ部品群の流れに対向する先端部に丸みが形成されていることを特徴とするバレルめっき方法。
【請求項２】
非導電性のバレル筒体内に、当該バレル筒体の横向きの回転中心軸に平行でかつ当該回転中心軸に対し偏心した位置にカソードとなる直線棒状電極体を配置するとともに、前記バレル筒体を回転自在に有するバレルユニットを用い、前記バレル筒体内にチップ部品群を収納し、前記バレル筒体を回転させて前記電極体に対してチップ部品群を移動させるバレルめっき方法であって、前記直線棒状電極体の横断面は、チップ部品群の移動方向に直交する方向の厚みが当該移動方向の幅以下であり、かつチップ部品群の流れに対向する先端部に丸みが形成されていることを特徴とするバレルめっき方法。
【請求項３】
前記バレル筒体内にはチップ部品群のみを収納してめっきを行う請求項１又は２記載のバレルめっき方法。
【請求項４】
非導電性でチップ部品群を収納するバレル筒体内に、当該バレル筒体の横向きの回転中心軸に平行でかつ当該回転中心軸に対し偏心した位置にカソードとなる電極体の主要部を配置するとともに、前記バレル筒体を回転自在に有するバレルユニット備え、
前記電極体は前記回転中心軸に平行な部分と垂直な部分とを有し、前記垂直な部分の横断面は前記平行な部分の横断面よりも小さく設定されており、前記電極体の前記回転中心軸に平行な部分の横断面は、チップ部品群の移動方向に直交する方向の厚みが当該移動方向の幅以下であり、かつチップ部品群の流れに対向する先端部に丸みが形成されていることを特徴とするバレルめっき装置。
【請求項５】
非導電性でチップ部品群を収納するバレル筒体内に、当該バレル筒体の横向きの回転中心軸に平行でかつ当該回転中心軸に対し偏心した位置にカソードとなる直線棒状電極体を配置するとともに、前記バレル筒体を回転自在に有するバレルユニット備え、
前記直線棒状電極体の横断面は、チップ部品群の移動方向に直交する方向の厚みが当該移動方向の幅以下であり、かつチップ部品群の流れに対向する先端部に丸みが形成されていることを特徴とするバレルめっき装置。
【請求項６】
前記垂直な部分が非導電性被膜で被覆されている請求項４記載のバレルめっき装置。
【請求項７】
前記電極体の横断面が横長の楕円形乃至長円形である請求項４，５又は６記載のバレルめっき装置。
【請求項８】
前記電極体の横断面が横長の略三角形、略菱形、略長方形又は略多角形状であってチップ部品群の流れに対向する先端部に丸みが形成されている請求項４，５又は６記載のバレルめっき装置。
【発明の詳細な説明】
【０００１】
【発明の属する技術分野】
本発明は、チップ状電子部品（チップ部品）の端子電極を形成するためのバレルめっき方法及び装置に係り、特に、メディアを用いないで小型チップ部品の端子電極の高精度の電解めっきを可能にするバレルめっき方法及び装置に関する。
【０００２】
【従来の技術】
従来、この種のバレルめっき方法として、カソード電極体をバレル筒体の中で回転中心軸方向に対し平行な方向に固定配置した横型の平行バレルユニットを用い、そのカソード電極体をチップ部品群の塊に差し込んだ状態でバレル筒体を回転させ、回転中心軸方向でできるだけ均一なめっき電流密度とする構成が知られている（下記特許文献１の図５参照）。この場合、バレル筒体は回転するのに対しカソード電極体は固定であり、形状の代表例としてはループ状のカソード電極形状である。そして、バレル筒体内にメディア（導電媒体の金属球）を収納、使用している。
【０００３】
同様に回転するバレル筒体に対し固定の陰極を有するものとして下記特許文献２がある。この場合、水平方向の陰極本体部から下方に延びる電極指を有する陰極構造となっている。バレル筒体内にはチップ部品群とともにメディアを収容して電解めっきを行う構成である。
【０００４】
【特許文献１】特開平９−１３７２９６号公報
【特許文献２】特許第３３４１７２５号公報
【０００５】
近年、チップ部品の極小化が進み、小型サイズ、例えば１００５タイプ（縦１ｍｍ、横０．５ｍｍ、厚さ０．５ｍｍ）、０６０３タイプ（縦０．６ｍｍ、横０．３ｍｍ、厚さ０．３ｍｍ）、０４０２タイプ（縦０．４ｍｍ、横０．２ｍｍ、厚さ０．２ｍｍ）等のチップ部品の端子電極のバレルめっき方法においては、回転するバレル筒体に対し、静止したカソード電極体を用いる場合、メディアを使用せず、バレル筒体内に収納されたチップ部品の端子電極同士が相互に接触することにより導通の連鎖を成すようにし、導通の連鎖を成したチップ部品の端子電極が接触し導通するカソード電極体をバレル筒体外部に導出するメディアレス・バレルユニットを用いることが考慮されている。
【０００６】
図６は従来のメディアレス・バレルユニットを示す。この図において、１はバレル筒体であり、角筒状部分はナイロン等の絶縁性メッシュで構成され、その両端面は樹脂板で閉じられている。バレル筒体１の回転中心となる水平軸体２はバレル筒体１を貫通し、水平軸体２にループ状のカソード（陰極）電極体３が固定されている。バレル筒体１は回転するのに対し、水平軸体２及びカソード電極体３は固定（静止）である。
【０００７】
バレル筒体１の外部の下方位置にアノード（陽極）電極４が配置され、バレル筒体１及びアノード電極４はめっき液中に浸っている。
【０００８】
バレル筒体１内には図７のようなチップ部品１１を多数収納し、バレル筒体１を回転させることで、その内部に収納された多数のチップ部品１１の集合体であるチップ部品群１０はカソード電極体３により撹拌、混合され、カソード電極体３とチップ部品群の端子電極１２との接触及び端子電極同士の接触による導通の連鎖によりめっきが行われる。
【０００９】
【発明が解決しようとする課題】
ところで、図６に示した固定式のカソード電極体は、一般的には垂直部分及び水平部分ともに太さの一様な銅等の丸棒でかつ断面形状にとくに配慮がない構造であり、メディア（球体）が無い状態のチップ部品群内へ、前記電極体を差し込んだ状態で、バレル筒体を回転させるため、前記電極体によってチップ流動性が阻害されることによるチップ混合率の低下、製品へのダメージ発生が問題となる。
【００１０】
また、水平部分とこれを支持する垂直部分とを有する図６のループ状のカソード、あるいはＬ型カソードでは、垂直部分におけるチップ混合流動抵抗が発生し、同様の問題がある。
【００１１】
本発明は、上記の点に鑑み、カソード電極体の断面形状を工夫することにより、カソード電極体によるチップ流動性の阻害、混合率の低下を抑制し、ひいては、めっき膜厚の均一性を確保し、外観不良の低減を図ることが可能なバレルめっき方法及び装置を提供することを目的とする。
【００１２】
本発明のその他の目的や新規な特徴は後述の実施の形態において明らかにする。
【００１３】
【課題を解決するための手段】
上記目的を達成するために、本願請求項１の発明は、非導電性のバレル筒体内に、当該バレル筒体の横向きの回転中心軸に平行でかつ当該回転中心軸に対し偏心した位置にカソードとなる電極体の主要部を配置するとともに、前記バレル筒体を回転自在に有するバレルユニットを用い、前記バレル筒体内にチップ部品群を収納し、前記バレル筒体を回転させて前記電極体に対してチップ部品群を移動させるバレルめっき方法であって、
前記電極体は前記回転中心軸に平行な部分と垂直な部分とを有し、前記垂直な部分の横断面は前記平行な部分の横断面よりも小さく設定されており、前記電極体の前記回転中心軸に平行な部分の横断面は、チップ部品群の移動方向に直交する方向の厚みが当該移動方向の幅以下であり、かつチップ部品群の流れに対向する先端部に丸みが形成されていることを特徴とする。
【００１４】
本願請求項２の発明は、非導電性のバレル筒体内に、当該バレル筒体の横向きの回転中心軸に平行でかつ当該回転中心軸に対し偏心した位置にカソードとなる直線棒状電極体を配置するとともに、前記バレル筒体を回転自在に有するバレルユニットを用い、前記バレル筒体内にチップ部品群を収納し、前記バレル筒体を回転させて前記電極体に対してチップ部品群を移動させるバレルめっき方法であって、
前記直線棒状電極体の横断面は、チップ部品群の移動方向に直交する方向の厚みが当該移動方向の幅以下であり、かつチップ部品群の流れに対向する先端部に丸みが形成されていることを特徴とする。
【００１５】
本願請求項３の発明に係るバレルめっき方法は、請求項１又は２において、前記バレル筒体内にはチップ部品群のみを収納してめっきを行うことを特徴としている。
【００１６】
本願請求項４の発明に係るバレルめっき装置は、非導電性でチップ部品群を収納するバレル筒体内に、当該バレル筒体の横向きの回転中心軸に平行でかつ当該回転中心軸に対し偏心した位置にカソードとなる電極体の主要部を配置するとともに、前記バレル筒体を回転自在に有するバレルユニット備え、
前記電極体は前記回転中心軸に平行な部分と垂直な部分とを有し、前記垂直な部分の横断面は前記平行な部分の横断面よりも小さく設定されており、前記電極体の前記回転中心軸に平行な部分の横断面は、チップ部品群の移動方向に直交する方向の厚みが当該移動方向の幅以下であり、かつチップ部品群の流れに対向する先端部に丸みが形成されていることを特徴としている。
【００１７】
本願請求項５の発明に係るバレルめっき装置は、非導電性でチップ部品群を収納するバレル筒体内に、当該バレル筒体の横向きの回転中心軸に平行でかつ当該回転中心軸に対し偏心した位置にカソードとなる直線棒状電極体を配置するとともに、前記バレル筒体を回転自在に有するバレルユニット備え、
前記直線棒状電極体の横断面は、チップ部品群の移動方向に直交する方向の厚みが当該移動方向の幅以下であり、かつチップ部品群の流れに対向する先端部に丸みが形成されていることを特徴としている。
【００１８】
本願請求項６の発明に係るバレルめっき装置は、請求項４又は５において、前記垂直な部分が非導電性被膜で被覆されていることを特徴としている。
【００１９】
本願請求項７の発明に係るバレルめっき装置は、請求項４，５又は６において、前記電極体の横断面が横長の楕円形乃至長円形であることを特徴としている。
【００２０】
本願請求項８の発明に係るバレルめっき装置は、請求項４，５又は６において、前記電極体の横断面が横長の略三角形、略菱形、略長方形又は略多角形状であってチップ部品群の流れに対向する先端部に丸みが形成されていることを特徴としている。
【００２１】
【発明の実施の形態】
以下、本発明に係るバレルめっき方法及び装置の実施の形態を図面に従って説明する。
【００２２】
図１乃至図３は本発明に係るバレルめっき方法及び装置の第１の実施の形態を示す。図１（Ａ）に示すように、２０はめっき浴槽であり、これに仮想線Ｗの位置までめっき液２１が入れられている。このめっき浴槽２０の内側底部には板状のアノード電極２２が配置されている。
【００２３】
図１（Ａ）、図２及び図３に示すようにバレルユニット３０は、バレル筒体４０（めっき液を通すカゴ部）と、この端面部４１の回転中心を貫通する（回転中心軸を通過する）外部接続導体部５０と、該外部接続導体部５０に接続固定されるＬ型カソード電極体５１とを備えている。
【００２４】
外部直流電源２５の正側がアノード電極２２に接続され、負側が外部接続導体部５０を経てＬ型カソード電極体５１に接続される。また、アノード電極２２はめっきする金属で構成され、例えばＮｉめっきであれば、Ｎｉの電極である。
【００２５】
バレル筒体４０はめっき液中に浸るため非導電性とし、その構成部材はナイロン等の絶縁樹脂メッシュ自体で形成されるか、表面が絶縁樹脂等で絶縁被覆されたメッシュである。また、めっき液２１は通すが、チップ部品群１０は通さないメッシュ粗さである。なお、図示は省略してあるが、バレル筒体４０内にチップ部品群１０を出し入れするための開口部は、端面部や側面部に設けられる。
【００２６】
前記外部接続導体部５０の外周面及びバレル筒体４０の内側に臨む部分は絶縁部材５５で覆われ、絶縁部材５５の円筒部分の外周面においてバレル筒体４０は横向き（水平方向）の回転中心軸を有するように回転自在に支持されている。また、前記Ｌ型カソード電極体５１の外部接続導体部５０に接続する基部の周囲は、前記絶縁部材５５に続く絶縁部材５６で覆われている。
【００２７】
そのバレル筒体４０は、端面部４１に固定されたスプロケット４２から図示しないチェーンによる回転駆動力を受けることで回転するが、外部接続導体部５０及びＬ型カソード電極体５１は回転せず、バレル筒体４０内部において固定（静止）状態に支持されている。従って、Ｌ型カソード電極体５１の水平部分５２は、バレル筒体４０内で、垂直部分５３の長さ分だけバレル筒体の回転中心軸から偏心した位置に固定支持（回転中心軸に平行に支持）されることになる。
【００２８】
図１（Ｂ）のように、Ｌ型カソード電極体５１の水平部分５２の横断面は、チップ移動方向に沿った径をＸ１、当該移動方向に直交する方向の径をＹ１としたとき、Ｘ１≧Ｙ１であり、真円、より好ましくはＸ１を長径、Ｙ１を短径とする楕円乃至長円形である。また、図１（Ｃ）のようにＬ型カソード電極体５１の垂直部分５３の横断面もチップ移動方向に沿った径をＸ２、当該移動方向に直交する方向の径をＹ２としたとき、Ｘ２≧Ｙ２であり、真円、より好ましくはＸ２を長径、Ｙ２を短径とする楕円乃至長円形であり、前記水平部分５２よりも全体的に細く（Ｘ１＞Ｘ２，Ｙ１＞Ｙ２）なっている。また、Ｌ型カソード電極体５１の垂直部分５３はめっき動作に寄与しなくともよいため、非導電性樹脂（フッ素樹脂（例えば商品名：テフロン）等）やセラミックの非導電性の耐摩耗性コーティング５７を施すことが好ましい。めっき対象が１００５サイズのチップ部品の場合、Ｘ１＝３〜７ｍｍ、Ｘ２＝１〜３ｍｍが望ましい。
【００２９】
なお、図３のように、バレル筒体４０を回転させることによるチップ部品群１０のバレル筒体４０内の分布を考慮して、Ｌ型カソード電極体５１の垂直部分５３は鉛直位置からバレル筒体４０の回転方向に４５°以内の角度θだけ傾斜していることが好ましい。
【００３０】
バレルめっき処理は、バレルユニット３０のバレル筒体４０内にチップ部品群１１を収容し（メディア不使用）、外部直流電源２５の正側をめっき金属のアノード電極２２に、負側を外部接続導体部５０を介してＬ型カソード電極体５１にそれぞれ接続し、バレルユニット３０をめっき液中に浸した状態でバレル筒体４０を回転させることにより行う。
【００３１】
一般的に、バレル筒体４０の水平な回転中心軸とカソード電極体５１とが平行配置された平行バレルタイプでは、回転中心軸方向の製品混合が起こりづらいこととメディアを使用しないことによるチップ同士の通電率低下による回転中心軸方向の膜厚ばらつきが大きくなることが考えられる。それを防止するためには、回転中心軸方向で、できるだけ均一な電流密度とすることが必要である。そのために、回転中心軸方向にバレル筒体長さにわたり、棒状で同一形状なカソード断面形状（図１（Ｂ）の円形、好ましくは楕円乃至長円形）とすることが良い。これにより、各チップ部品の端子電極に対するめっき膜厚の均一性を確保できる。
【００３２】
また、給電効率を考え、チップサイズに合わせた最適太さのカソード電極体５１を組合せる（チップ部品形状が大きければ、カソード電極体も太くする）ことで、めっきの効率が上がる。
【００３３】
前記カソード電極体５１を固定し、前記バレル筒体４０を回転させたとき、メディアが無い状態のチップ部品群１０内へ、カソード電極体５１を差し込んだ状態で、バレル筒体４０を回転させることになるため、カソード電極体５１によってチップ流動性が阻害されると、チップ混合率の低下、製品へのダメージ発生が問題となる。それを防止するためには、給電効率を落とさず、カソード電極体自体によるチップ流動性を出来るだけ低下させない形状が良く、ここでは、図１（Ｂ）に示したようにカソード電極体５１の水平部分５２は円形、好ましくは横長楕円乃至長円形の断面形状としている。また、Ｌ型カソード電極体５１の垂直部分５３においても、径を細くし、かつ断面形状を工夫して図１（Ｃ）の円形、好ましくは楕円乃至長円形とすることによりチップ混合流動抵抗を最小限にすることができる。これらにより、チップ混合率の低下、製品へのダメージを最小限にとどめることができる。
【００３４】
一般的には、カソード電極体材質として、電気抵抗の小さなＣｕが良く用いられるが、本実施の形態の場合、カソード電極体５１ヘのめっき付着量が多くなり、寿命が短い（めっき剥離が必要となる）。また、めっき付着量が多いとチップの固着不良（カソード電極体５１にチップ部品が付着する不良）が発生しやすい。従って、Ｌ型カソード電極体５１の材質は、ある程度抵抗値が大きくてめっきが付着しづらく、かつ再利用のためのめっき剥離に耐えられるステンレス、チタン等が適している。
【００３５】
また、一般的な固定カソード方式においてメディアレスめっきを行うと、電流が流れているカソード電極体がある時間めっき液に直接接している部分（チップが接触しない状態である部位）、又は、カソード電極体での電流が集中しやすい部分にてめっきかす析出の症状が発生しやすい傾向がある。めっきかすの成長に伴うカソード電極体からのそれの剥離は、製品への混入、付着により、致命的不良となる。
【００３６】
Ｌ型カソード電極体５１の垂直部分及び水平部分においては、めっき時、流動チップのニゲが発生してしまうが、そこで本実施の形態では、チップ移動方向に直交する方向の径（図１（Ｂ），（Ｃ）の短径Ｙ１，Ｙ２）を極力細くしてニゲを最小限にとどめることで前記症状発生を最小化する効果をもたせることができる。
【００３７】
また、Ｌ型カソード電極体５１の垂直部分の表面に、図１（Ｃ）のように、非導電性樹脂膜（レジスト膜、テフロン膜等）やセラミック膜のコーティング５７を施し、めっき付着範囲を限定することで前記症状発生を最小化する効果がある。
【００３８】
また、Ｌ型カソード電極体５１の水平部分５２の両端部は、球状凸面形状にすることで集中電流を防止し、めっきかすの集中析出を防止できる形状となっている。
【００３９】
以下の表１は、従来例（Ｌ型カソード電極体の垂直部分及び水平部分共に直径５ｍｍの断面円形の丸棒を用いたもの）、実施例１（Ｌ型カソード電極体の垂直部分は直径２．６ｍｍの円形断面及び水平部分は直径５ｍｍの断面円形の丸棒を用いたもの）、及び実施例２（Ｌ型カソード電極体の垂直部分は直径２．５ｍｍの楕円形断面（図１（Ｃ）のＸ２＝２．５＞Ｙ２）及び水平部分は図１（Ｂ）の長径Ｘ１＝５ｍｍ、短径Ｙ１＝３．５ｍｍの楕円形断面の棒状体を用いたもの）のバレルめっき結果をそれぞれ示す。但し、バレル筒体へのチップ部品投入量１２万個（メディア不使用）、めっき時間は１２０分（Ｎｉめっき、Ｓｎめっき共に）で同条件である。
【００４０】
【表１】
2005042140.tif 000003
【００４１】
この表１から判るように、めっき膜厚の標準偏差σ、変動計数ＣＶ（％）、外観不良率（％）のいずれも従来例よりも本発明の実施例１、実施例２が優れ、とくに実施例２の場合が最も低い値となり、優れていることがわかる。
【００４２】
図４は本発明の第２の実施の形態を示す。図４（Ａ）に示すようにバレルユニット３０は、バレル筒体４０と、これを水平な回転中心軸で回転自在に支持する支持枠体６０と、バレル筒体４０の端面部４１の回転中心を貫通する（回転中心軸を通過する）外部接続導体部７０と、該外部接続導体部７０に接続固定される直線棒状カソード電極体７１とを備えている。
【００４３】
バレル筒体４０はめっき液中に浸るため非導電性であって、その構成部材はナイロン等の絶縁樹脂メッシュ自体で形成されるか、表面が絶縁樹脂等で絶縁被覆されたメッシュである。また、めっき液は通すが、チップ部品群は通さないメッシュ粗さである。なお、バレル筒体４０内にチップ部品群を出し入れするための開口部は、この場合、端面部４１を着脱自在な構造とすることで実現している。
【００４４】
前記外部接続導体部７０の外周面及びバレル筒体４０の内側に延長した延長板状部７０ａは絶縁部材（非導電性樹脂）８１，８２でそれぞれ覆われている。そして、延長板状部７０ａに直線棒状カソード電極体７１が螺着等で水平方向に連結固定されている。
【００４５】
そのバレル筒体４０は、端面部４１に固定されたスプロケット４２からチェーン４５による回転駆動力を受けることで回転するが、外部接続導体部７０及び直線棒状カソード電極体７１は回転せず（外部接続導体部７０は支持枠体６０に固定）、バレル筒体４０内において、バレル筒体の回転中心軸から偏心した位置で、かつ回転中心軸に平行に固定支持されることになる。
【００４６】
図４（Ｂ）のように、直線棒状カソード電極体７１の横断面は、チップ移動方向に沿った径をＸ１、当該移動方向に直交する方向の径をＹ１としたとき、Ｘ１≧Ｙ１であり、真円、より好ましくはＸ１を長径、Ｙ１を短径とする楕円乃至長円形であり、第１の実施の形態のＬ型カソード電極体５１の水平部分と同じ構造となっている。なお、前記外部接続導体部７０の延長板状部７０ａを被覆する絶縁部材８２はチップ流動性を妨げないようにバレル筒体４０の回転中心軸に垂直な平坦面を構成している。
【００４７】
この第２の実施の形態の場合も、直線棒状カソード電極体７１の断面形状を工夫することで、第１の実施の形態と同様の作用効果を奏することができる。また、垂直部分が無く水平部分のみであり、垂直部分の存在に起因する不都合（チップ流動性の阻害、めっき付着等）を解消できる。
【００４８】
図５は各実施の形態で使用可能な、カソード電極体（水平部分）の横断面形状であり、（Ａ）は円形、とくに好ましくは横長の楕円乃至長円形であり、（Ｂ）は横長の略三角形であってチップ部品群の流れに対向する先端部に丸みＲが形成されているもの、（Ｃ）は横長の菱形であってチップ部品群の流れに対向する先端部に丸みＲが形成されているもの、（Ｄ）は横長の長方形であってチップ部品群の流れに対向する先端部に丸みＲが形成されているもの、（Ｅ）は横長の六角形であってチップ部品群の流れに対向する先端部に丸みＲが形成されているものである。これらの断面形状において、チップ部品群の移動方向の幅をＸ、当該移動方向に直交する方向の厚みをＹとしたとき、Ｘ≧Ｙであり、（Ａ）の場合Ｘ＞Ｙ≧０．７Ｘであることがより好ましく、１００５サイズのチップ部品がめっき対象物である場合、強度、通電を考慮してＸ＝３〜７ｍｍ程度が望ましい。また、先端部の丸みＲの曲率半径は０．５〜３ｍｍであることが好ましい。
【００４９】
以上本発明の実施の形態について説明してきたが、本発明はこれに限定されることなく請求項の記載の範囲内において各種の変形、変更が可能なことは当業者には自明であろう。
【００５０】
【発明の効果】
以上説明したように、本発明に係るバレルめっき方法及び装置によれば、カソード電極体の断面形状を工夫することにより、カソード電極体によるチップ流動性の阻害、混合率の低下を抑制し、ひいては、めっき膜厚の均一性を確保し、外観不良の低減を図ることが可能である。
【図面の簡単な説明】
【図１】本発明に係るバレルめっき方法及び装置の第１の実施の形態であって、（Ａ）は全体構成の正断面図、（Ｂ）はＬ型カソード電極体の水平部分のＡ−Ａ’断面図、（Ｃ）はＬ型カソード電極体の垂直部分のＢ−Ｂ’断面図である。
【図２】本発明の第１の実施の形態の斜視図である。
【図３】同側断面図である。
【図４】本発明に係るバレルめっき方法及び装置の第２の実施の形態であって、（Ａ）は全体構成の正断面図、（Ｂ）は直線棒状カソード電極体のＡ−Ａ’断面図である。
【図５】本発明の各実施の形態で使用可能なカソード電極体の横断面図である。
【図６】従来のバレルめっき装置の斜視図である。
【図７】チップ部品の一例を示す斜視図である。
【符号の説明】
１，４０  バレル筒体
２  水平軸体
３，５１，７１  カソード電極体
１０  チップ部品群
１１  チップ部品
１２  端子電極
２０  めっき浴槽
２１  めっき液
２２  アノード電極
２５  外部直流電源
３０  バレルユニット
４２  スプロケット
５０，７０  外部接続導体部
５２  水平部分
５３  垂直部分
５５，５６，８１，８２  絶縁部材
５７  耐摩耗性コーティング
６０  支持枠体
【図１】
2005042140.tif 000004
【図２】
2005042140.tif 000005
【図３】
2005042140.tif 000006
【図４】
2005042140.tif 000007
【図５】
2005042140.tif 000008
【図６】
2005042140.tif 000009
【図７】
2005042140.tif 000010